【事件の表示】
　特願２００６−５３４０４５「スタブ長を低減させた効率的スイッチングアーキテクチャ」拒絶査定不服審判事件〔平成１７年４月１４日国際公開、ＷＯ２００５／０３３７２２、平成１９年３月２９日国内公表、特表２００７−５０７７１５〕について、次のとおり審決する。
【結　論】
　本件審判の請求は、成り立たない。
【理　由】
１．手続の経緯
　この審判事件に関する出願（以下、「本願」という。）は、２００３年（平成１５年）９月３０日にアメリカ合衆国でされた特許出願に基づくパリ条約の優先権を主張して、平成１６年９月２９日にされた出願である。そして、平成２２年４月１４日付けの手続補正により特許請求の範囲についての補正がされ、平成２２年８月２５日付けで拒絶査定がされた。査定の謄本は、平成２２年８月３０日に送達され、これに対して、平成２３年１月４日に拒絶査定不服審判が請求された。
　
２．本願の発明
　本願の請求項１から１９までのそれぞれに係る発明は、平成２２年４月１４日付けの手続補正により補正された特許請求の範囲の請求項１から１９までのそれぞれに記載された事項によって特定されるとおりのものである。特に、請求項１に係る発明（以下、「本願発明」という。）は、以下のとおりのものである。
　
「【請求項１】
　自動試験装置のためのスイッチングトポロジであって、
　それぞれが第１ノード〜第４ノードを有する複数のスイッチング回路を備え、第１ノード及び第２ノードは、スルー接続を形成するために、それぞれ、第３ノード及び第４ノードに接続可能であるか、又は、クロス接続を形成するために、それぞれ、第４ノード及び第３ノードに接続可能であり、
　前記複数のスイッチング回路の任意のスイッチング回路の前記第１ノード〜第４ノードの各々は、前記複数のスイッチング回路のすべての他のスイッチング回路の前記第１ノード〜第４ノードの多くとも１つのノードに接続され、
　前記複数のスイッチング回路の各々は、第１スイッチング素子及び第２スイッチング素子を備え、その各々は、コモン接点並びに該コモン接点が選択的に接続可能である第１接点及び第２接点を有する、
自動試験装置のためのスイッチングトポロジ。」
　
３．原査定の拒絶の理由
　原査定は、本願の優先日前に頒布された刊行物１から４までを引用しており、その拒絶の理由２は、本願の請求項１から６までのそれぞれに係る発明は、いずれも、刊行物１に記載された発明と、例えば刊行物２及び３に記載された周知技術並びに刊行物４に記載された技術事項とに基づき、当業者が容易に発明をすることができたものであるから、特許法第２９条第２項の規定により特許を受けることができないというものである。
　
　　刊行物１：特開２０００−１９７０７６号公報
　　刊行物２：特開昭６４−６７７７号公報
　　刊行物３：特開２００１−２９６３３３号公報
　　刊行物４：特開平４−４０３８４号公報
　
４．刊行物に記載された事項・引用発明
　刊行物１から４までには、それぞれ以下の事項が図面とともに記載されている。
　
（１）刊行物１
ア．段落０００１
「【０００１】
【発明の属する技術分野】本発明は、クロスポイントスイッチ回路および基本スイッチセル電子回路に関し、特に、…（略）…光ネットワーク上の伝送装置…（略）…に必要なチャンネルスイッチ機能部分に用いて好適な、クロスポイントスイッチ回路および基本スイッチセル電子回路に関する。」
　
イ．段落００１１及び００１２
「【００１１】これに対し、電子回路によるクロスポイントスイッチ（以下、単に「電気スイッチ」ということもある）も各メーカで検討されている。…（略）…
　【００１２】このような電気スイッチとしては、現状では、例えば図２５に示すようなメッシュ構造（Ｎ入力Ｇ出力の格子形：Ｎ，Ｇは２以上の整数）のもの（電気スイッチ２００）が主流で、上記の光スイッチに比べて、小型化，低消費電力化が比較的容易であり、また、安価に製造することができる等のメリットがある。なお、１０ギガビット（Ｇｂ／ｓ）程度の超高速信号を扱える電気スイッチ２００としては、現状では、１６×１６程度までのものが研究段階にある。」
　
ウ．段落００１７から００２０まで
「【００１７】一方、図２５に示したようなメッシュ構造の電気スイッチ２００の場合は、信号伝達経路が各チャンネル毎に異なるため、チャンネルサイズを大きくすればする程、各チャンネル毎に入出力間の信号伝達時間や出力波形等に大きな差が出てしまうことになる。また、電気スイッチ２００の場合は、電気的な配線を行なうため、チャンネルサイズを大きくすると、配線の浮遊容量やインダクタンス，交差配線相互間の容量結合などの影響が大きくなり、１０Ｇｂ／ｓという超高速信号に対する特性安定化を図ることが非常に難しくなる。また、配線間での漏話の影響も大きい。
　【００１８】…（略）…そこで、例えば図２６に示すように、複数の単体スイッチ３００を交換機等で使用されているスイッチのように多段に接続して（多段リンク構成）、チャンネルサイズを拡大することが考えられるが、この場合は、各単体スイッチ間（段間）の配線接続が非常に複雑になる。即ち、立体的な交差配線が多数必要になるため、単純な平面接続は不可能である。
　【００１９】…（略）…
　【００２０】本発明は、このような課題に鑑み創案されたもので、最小限の空間的スペースで、チャンネルサイズをいくらでも簡単且つ柔軟に拡張することができ、また、その組立・製造も容易な、クロスポイントスイッチ回路を提供することを目的とする。また、同報機能や超高速信号に対する特性安定性等を実現することのできる、基本スイッチセル電子回路を提供することも目的とする。」
　
エ．段落００５２から００５９まで
「【００５２】
【発明の実施の形態】以下、図面を参照して本発明の実施の形態を説明する。
（Ａ）クロスポイントスイッチ回路の説明
図１は本発明の一実施形態としてのクロスポイントスイッチ回路の構成を示すブロック図で、この図１に示すように、本実施形態のクロスポイントスイッチ回路１−１は、複数（ここでは、ｍ×ｎ＝４×４＝１６個）の基本スイッチセル１をそなえており、これらの各基本スイッチセル１〔ＳＷｘｙ（ただし、１≦ｘ≦４，１≦ｙ≦４）〕が４行４列の行列（マトリクス）状に配置されている。
　【００５３】ここで、各基本スイッチセル１は、それぞれ、２つの入力端子Ａ，Ｂ（第１及び第２入力端子）と２つの出力端子Ｃ，Ｄ（第１及び第２出力端子）とを有する２入力２出力型のスイッチで、任意の入力端子Ａ，Ｂと任意の出力端子Ｃ，Ｄとの接続を切り替えることができるようになっている。具体的には、…（略）…後述するように、電子回路により構成されて以下の４種類の接続切り替えを行なえるようになっている。
　【００５４】
（１）クロス接続〔Ａ−Ｄ間及びＢ−Ｃ間の接続：図９（Ｂ）参照〕
（２）バー接続〔Ａ−Ｃ間及びＢ−Ｄ間の接続：図９（Ｃ）参照〕
（３）Ａ同報接続〔Ａ−Ｃ及びＤ間の接続：図９（Ｄ）参照〕
（４）Ｂ同報接続〔Ｂ−Ｃ及びＤ間の接続：図９（Ｅ）参照〕
そして、これらの各基本スイッチセル１は、…（略）…任意の１つの入力ハイウェイ（ＩＮｘ）と任意の１つの出力ハイウェイ（ＯＵＴｙ）とを接続しうるように図１に示すごとく相互に接続されている。
　【００５５】即ち、上記のマトリクスの第ｉ行ｊ列（ただし、ここでは、１≦ｉ≦３，１≦ｊ≦３）に位置する基本スイッチセル１の出力端子Ｄと第ｉ＋１行ｊ＋１列に位置するＳＷｘｙの入力端子Ａとが接続されるとともに、第ｉ＋１行ｊ列に位置するＳＷｘｙの出力端子Ｃと第ｉ行ｊ＋１列に位置する基本スイッチセル１の入力端子Ｂとが接続されている。
　【００５６】そして、本来なら、例えば図２０中に符号３で示すように、第１行ｊ列に位置する基本スイッチセル１の出力端子Ｃと第１行ｊ＋１列に位置する基本スイッチセル１の入力端子Ａとがそれぞれ接続されるべきところが、本実施形態では、図１に示すように、第１行ｊ列に位置する基本スイッチセル１の出力端子Ｃにそれぞれ出力端子回路３Ａが接続されるとともに、第１行ｊ＋１列に位置する基本スイッチセル１の入力端子Ａにそれぞれ入力端子回路３Ｂが接続された構造になっている。
　【００５７】また、本来なら、例えば図２０中に符号４で示すように、第４行ｊ列に位置する基本スイッチセル１の出力端子Ｄと第４行ｊ＋１列に位置する基本スイッチセル１の入力端子Ｂとがそれぞれ接続されるべきところが、本実施形態では、図１に示すように、第４行ｊ列に位置する基本スイッチセル１の出力端子Ｄにそれぞれ出力端子回路４Ａが接続されるとともに、第４行ｊ＋１列に位置する基本スイッチセル１の入力端子Ｂにそれぞれ入力端子回路４Ｂが接続された構造になっている。
　【００５８】さらに、本来なら、例えば図２０中に符号５で示すように、第１列に位置する各基本スイッチセル１（ＳＷ１３，ＳＷ２４，ＳＷ３１，ＳＷ４２）の入力端子Ａ，Ｂの一方と入力ハイウェイ（ＩＮｘ）とが接続される（他方は空き端子となる）べきところが、本実施形態では、図１に示すように、入力端子回路５Ｂ〜１０Ｂと、入力端子回路７Ｂ，８Ｂに接続された出力端子回路７Ａ，８Ａとが設けられた構造になっている。
　【００５９】また、本来なら、例えば図２０中に符号６で示すように、第４列に位置する各基本スイッチセル１（ＳＷ４１，ＳＷ２２，ＳＷ３３，ＳＷ１４）の出力端子Ｃ，Ｄの一方と出力ハイウェイ（ＯＵＴｙ）とが接続される（他方は空き端子となる）べきところが、本実施形態では、図１に示すように、出力端子回路５Ａ，６Ａ，９Ａ，１０Ａが設けられた構造になっている。」
　
オ．段落００７４から００７８まで
「【００７４】このような出力端子回路３Ａ〜１０Ａ及び入力端子回路３Ｂ〜１０Ｂの配置を行なうことで、クロスポイントスイッチ回路１−１は、各辺１ａ〜１ｄ側に隣接する最大４組の他のクロスポイントスイッチ回路１−１との平面的な接続が確実に可能になる。例えば、図１に示すクロスポイントスイッチ回路１−１（以下、単体スイッチ回路１−１ということもある）を４つ用意し、図２に示すように、各単体スイッチ回路１−１を２行２列の行列状に配置するとともに、隣接する単体スイッチ回路１−１を上記の外部接続手段１Ａ〜１Ｄを介して相互に接続（外部接続手段１Ａ，１Ｂ同士および外部接続手段１Ｃ，１Ｄ同士を接続）すれば、各単体スイッチ回路１−１間に交差配線を生じさせることなく、平面状の８×８のクロスポイントスイッチ回路１−１を構成することができる。
　【００７５】なお、単体スイッチ回路１−１が接続されない部分、即ち、図２において、２行２列の行列状に配置された単体スイッチ回路１−１のうちの第１行第１列（左上）及び第１行２列（右上）に位置する各単体スイッチ回路１−１の外部接続手段１Ａ側と、第１行２列（左下）及び第２行２列（左下）に位置する各単体スイッチ回路１−１の外部接続手段１Ｂ側とには、それぞれ、図２に示すように、折り返し接続回路７，８が設けられる。
　【００７６】これにより、単体スイッチ回路（第１のクロスポイントスイッチ回路）１−１が接続されない外部接続手段１Ａでは、折り返し接続回路７によって、出力端子回路７Ａと第１行１列に位置する基本スイッチセル１（ＳＷ１３）の入力端子Ａ側の入力端子回路９Ｂとが接続されるとともに、第１行ｊ列に位置する基本スイッチセル１（ＳＷ２３，ＳＷ２１）の出力端子Ｃ側の出力端子回路３Ａと第１行ｊ＋１列に位置する基本スイッチセル１（ＳＷ２３，ＳＷ２１，ＳＷ４１）の入力端子Ａ側の入力端子回路３Ｂとがそれぞれ接続される。
　【００７７】一方、単体スイッチ回路（第２のクロスポイントスイッチ回路）１−１が接続されない外部接続手段１Ｂでは、折り返し接続回路８によって、出力端子回路８Ａと最終行１列に位置する基本スイッチセル１（ＳＷ４２）の入力端子Ｂ側の入力端子回路１０Ｂとが接続されるとともに、最終行ｊ列に位置する基本スイッチセル１（ＳＷ４２，ＳＷ３２，ＳＷ３４）の出力端子Ｄ側の出力端子回路４Ａと最終行ｊ＋１列に位置する基本スイッチセル１（ＳＷ３２，ＳＷ３４，ＳＷ１４）の入力端子Ｂ側の入力端子回路４Ｂとがそれぞれ接続される。
　【００７８】つまり、他の単体スイッチ回路１−１と接続されない第１行（もしくは最終行）に位置する基本スイッチセル１は、折り返し接続回路７（８）により、図２０に示す４×４の単体のクロスポイントスイッチ回路１Ｂ−１と同様の接続構成となるように結線されるのである。この結果、図２において、左上及び右上に位置する単体スイッチ回路１−１の第１行に位置する基本スイッチセル１の出力端子Ｃと隣接する基本スイッチセル１の入力端子Ａとが順次接続された状態になり、左下及び右下に位置する単体スイッチ回路１−１の最終行に位置する基本スイッチセル１の出力端子Ｄと隣接する基本スイッチセル１の入力端子Ｂとが順次接続された状態になるので、これらの第１行及び最終行に位置する基本スイッチセル１に入力されてきた信号の伝達経路が確保され、常に正常な入出力ハイウェイの接続が可能になる（完全非閉塞型のクロスポイントスイッチ回路１−２が実現される）。」
　
カ．段落００９５から０１０１まで
「【００９５】（Ｂ）基本スイッチセル１の詳細説明
図９（Ａ）は上述した各基本スイッチセル（基本スイッチセル電子回路）１の構成を原理的に説明するためのブロック図で、この図９（Ａ）に示すように、本実施形態の基本スイッチセル１は、切り替え制御電圧発生回路２によりそれぞれ独立してそのＯＮ／ＯＦＦ状態が制御される電子スイッチ１５Ａ，１５Ｂ，１６Ａ及び１６Ｂをそなえた電子回路により構成されている。
　【００９６】ここで、電子スイッチ１５Ａは、切り替え制御電圧発生回路２（以下、単に「電圧発生回路２」という）からの電圧信号Ａ１によってＯＮ状態に制御されると、入力端子Ｂと出力端子Ｃとを接続するものであり、電子スイッチ１５Ｂは、同様に、電圧発生回路２からの電圧信号Ｂ１によってＯＮ状態に制御されると、入力端子Ｂと出力端子Ｃとを接続するものである。
　【００９７】また、同様に、電子スイッチ１６Ａは、電圧発生回路２からの電圧信号Ａ２によってＯＮ状態に制御されると、入力端子Ａと出力端子Ｄとを接続するものであり、電子スイッチ１６Ｂは、電圧発生回路２からの電圧信号Ｂ２によってＯＮ状態に制御されると、入力端子Ｂと出力端子Ｄとを接続するものである。このような構成により、本実施形態の基本スイッチセル１は、例えば上記の電圧信号Ｂ１及びＡ２をそれぞれＨレベル（電圧信号Ａ１及びＢ２はＬレベル）にして、電子スイッチ１５Ｂ及び１６ＡのみをそれぞれＯＮ状態に制御すると、図９（Ｂ）に示すように、入力端子Ａへの入力信号をクロスして出力端子Ｄへ出力するとともに、入力端子Ｂへの入力信号をクロスして出力端子Ｃへ出力する、「クロス接続」状態（構成）となる。
　【００９８】逆に、電圧発生回路２からの電圧信号Ａ１及びＢ２をそれぞれＨレベル（電圧信号Ｂ１及びＡ２はＬレベル）にして、電子スイッチ１５Ａ及び１６ＢのみをそれぞれＯＮ状態に制御すると、図９（Ｃ）に示すように、入力端子Ａへの入力信号をクロスせずに出力端子Ｃへ出力するとともに、入力端子Ｂへの入力信号もクロスさせずに出力端子Ｄへ出力する、「バー接続」状態（構成）となる。
　【００９９】また、例えば電圧信号Ａ１及びＡ２をそれぞれＨレベル（電圧信号Ｂ１及びＢ２はＬレベル）にして、電子スイッチ１５Ａ及び１５ＢのみをそれぞれＯＮ状態に制御すると、図９（Ｄ）に示すように、入力端子Ａへの入力信号を出力端子Ｃ及びＤのそれぞれに出力する、「Ａ同報接続」状態（構成）となる。一方、電圧信号Ｂ１及びＢ２をそれぞれＨレベル（電圧信号Ａ１及びＡ２はＬレベル）にして、電子スイッチ１６Ａ及び１６ＢのみをそれぞれＯＮ状態に制御すると、図９（Ｅ）に示すように、入力端子Ｂへの入力信号を出力端子Ｃ及びＤのそれぞれに出力する、「Ｂ同報接続」状態（構成）となる。
　【０１００】つまり、上記の電子スイッチ１５Ａ及び１６Ａは、入力端子Ａと出力端子Ｃ及びＤのいずれか一方もしくは両方とを電気的に接続しうる第１電子スイッチ部として機能し、電子スイッチ１５Ｂ及び１６Ｂは、入力端子Ｂと出力端子Ｃ及びＤのいずれか一方もしくは両方とを電気的に接続しうる第２電子スイッチ部として機能するようになっているのである。
　【０１０１】従って、…（略）…必要な基本機能（クロス接続およびバー接続）を電子回路によって実現することができるとともに、光スイッチでは実現できなかった、同報接続機能さえも実現することができるので、多機能で柔軟性の高いクロスポイントスイッチ回路１−１（１−２，１−３）の実現に大いに寄与する。」
　
キ．段落０１４６から０１４８まで
「【０１４６】…（略）…また、電子回路により構成された基本スイッチセル１は、例えば図２０に示すように、外部接続手段１Ａ〜１Ｄをそなえないクロスポイントスイッチ回路１Ｂ−１を構成するのに用いてもよい。
　【０１４７】…（略）…
　【０１４８】また、上述した実施形態では、基本スイッチセル１を図１０〜図１９により上述したような構成としているが、少なくとも、図９（Ａ）〜図９（Ｅ）により前述したように、各種の接続機能（電子スイッチ１５Ａ，１５Ｂ，１６Ａ，１６Ｂ）を実現できれば、勿論、どのような構成にしてもよい。…（略）…」
　
ク．図１、２及び２０
　図１、２及び２０には、２入力２出力型のスイッチである基本スイッチセル１を複数個行列状に配置して構成したクロスポイントスイッチ回路１−１、１−２及び１Ｂ−１が示されている。そして、任意の位置にある基本スイッチセル１の２つの入力端子Ａ、Ｂ及び２つの出力端子Ｃ、Ｄが、その隣に位置する基本スイッチセル１の２つの入力端子Ａ、Ｂ及び２つの出力端子Ｃ、Ｄ並びに入力端子回路５Ｂ、６Ｂ、７Ｂ、８Ｂ及び出力端子回路５Ａ、６Ａ、９Ａ、１０Ａとどのように接続されているかが、具体的に示されている。
　
　以上の事項を総合すると、刊行物１には、以下の発明（以下、「引用発明」という。）が記載されている。
　
「光ネットワーク上の伝送装置に必要なチャンネルスイッチ機能部分に用いて好適なクロスポイントスイッチ回路であって、
　それぞれが第１入力端子Ａ、第２入力端子Ｂ、第１出力端子Ｃ及び第２出力端子Ｄを有する複数の基本スイッチセル１を備え、前記第１入力端子Ａ及び前記第２入力端子Ｂは、バー接続を形成するために、それぞれ、前記第１出力端子Ｃ及び前記第２出力端子Ｄに接続可能であるか、又は、クロス接続を形成するために、それぞれ、前記第２出力端子Ｄ及び前記第１出力端子Ｃに接続可能であり、
　前記複数の基本スイッチセル１の任意の基本スイッチセル１の第１入力端子Ａ及び第２入力端子Ｂは、それぞれ、他の基本スイッチセル１の第１出力端子Ｃ及び第２出力端子Ｄのいずれかと接続されるか、又は入力端子回路５Ｂ、６Ｂ、７Ｂ、８Ｂと接続され、前記任意の基本スイッチセル１の第１出力端子Ｃ及び第２出力端子Ｄは、それぞれ、他の基本スイッチセル１の第１入力端子Ａ及び第２入力端子Ｂのいずれかと接続されるか、又は出力端子回路５Ａ、６Ａ、９Ａ、１０Ａと接続され、
　前記複数の基本スイッチセル１の各々は、第１入力端子Ａと第１出力端子Ｃ及び第２出力端子Ｄのいずれか一方又は両方とを電気的に接続しうる第１電子スイッチ部として機能する電子スイッチ１５Ａ及び１６Ａと、第２入力端子Ｂと第１出力端子Ｃ及び第２出力端子Ｄのいずれか一方又は両方とを電気的に接続しうる第２電子スイッチ部として機能する電子スイッチ１５Ｂ及び１６Ｂとを備える、
クロスポイントスイッチ回路。」
　
（２）刊行物２
ア．第１ページ右下欄第１行から第２行まで
「この発明はリニアＬＳＩを試験するためのリニアＬＳＩテストシステム用ヘッドに関する。」
　
イ．第３ページ右下欄第５行から第４ページ左上欄第１３行まで
「第２図により、この発明のＡＣマトリックスヘッド３２の回路例を示す。このＡＣマトリックスヘッド３２の内部には、ケーブル３３に接続される複数のライン側信号線３４Ａ，３４Ｂ〜３４Ｃと被試験素子に接続されるべき複数のピン側信号線３５Ａ，３５Ｂ，３５Ｃ〜３５Ｎとを接続するマトリックススイッチ３６が設けられる。…（略）…
　ライン側信号線３４Ａ，３４Ｂ〜３４Ｃとピン側信号線３５Ａ，３５Ｂ，３５Ｃ〜３５Ｎとの各交点にはクロスポイントスイッチ３７Ａ，３７Ｂ，３７Ｃ〜３７Ｎが設けられる。このクロスポイントスイッチ３７は第３図に示すように、その一端がライン側信号線３４に他端がピン側信号線３５に接続され、クロスポイントスインチ３７が開成されている場合には、ライン側信号線３４とピン側信号線３５との間で信号の交換が行われないが、クロスポイントスイッチ３７が閉成されていると、ライン側信号線３４からピン側信号線３５へ、或いはピン側信号線３５からライン側信号線３４への信号の相互伝達が可能になる。
　この発明のＡＣマトリックスヘッドは、第２図に示すように、各ライン側信号線３４Ａ，３４Ｂ〜３４Ｃの一端はケーブル３３の一端に接続され、このケーブル３３を介してテストヘッド本体３１との間で信号の授受が行われる。」
　
（３）刊行物３
ア．段落０００１
「【０００１】
【発明の属する技術分野】本発明は、被試験対象、例えば、ＩＣ，ＬＳＩ等の試験を行うＩＣテスタに関し、少なくとも、多くの電圧出力ができると共に、高精度の電圧出力が行えるＩＣテスタに関するものである。」
　
イ．段落００１６から００２１まで
「【００１６】
【発明の実施の形態】以下図面を用いて本発明の実施の形態を説明する。図１は本発明の一実施例を示した構成図である。
　【００１７】図において、ソース・メジャー部ＳＭ１〜ＳＭｎは、ピンエレクトロニクスボードＰＥに搭載され、センス線Ｓにより電圧を測定し、ポゴピンブロックのポゴピンＰ１〜Ｐｎに接続するフォース線Ｆにより電圧出力を行う。外部センス線ＳＯは、ポゴピンブロックのポゴピンＰｎ＋１を介して、パフォーマンスボードＰＦ上のジャンパ線Ｊにより、ＤＵＴ１のピンに接続する。スイッチＳＷ１〜ＳＷｎは、それぞれ、一端をソース・メジャー部ＳＭ１〜ＳＭｎのセンス線Ｓに接続し、他端をソース・メジャー部ＳＭ１〜ＳＭｎのフォース線Ｆに、パフォーマンスボードＰＦの前段で接続する。クロスポイントスイッチＣＳＷ１〜ＣＳＷｎは、それぞれ、一端をソース・メジャー部ＳＭ１〜ＳＭｎのセンス線Ｓに接続し、他端を外部センス線ＳＯに接続する。ここで、スイッチＳＷ１〜ＳＷｎ、クロスポイントスイッチＣＳＷ１〜ＣＳＷｎがスイッチ部を構成する。
　【００１８】このような装置の動作を以下で説明する。ソース・メジャー部ＳＭ１を高精度に使用する場合は、スイッチＳＷ１をオフ、スイッチＳＷ２〜ＳＷｎはオン、クロスポイントスイッチＣＳＷ１をオン、クロスポイントスイッチＣＳＷ２〜ＣＳＷｎをオフとする。そして、ジャンパ線Ｊにより、外部センス線ＳＯと、ソース・メジャー部ＳＭ１のフォース線Ｆが電気的につながるＤＵＴ１のピンとを接続する。この結果、ソース・メジャー部ＳＭ１は高精度に電圧測定または電圧出力を行うことができる。
　【００１９】また、ソース・メジャー部ＳＭ２を高精度に使用する場合は、スイッチＳＷ２をオフ、スイッチＳＷ１，ＳＷ３〜ＳＷｎはオン、クロスポイントスイッチＣＳＷ２をオン、クロスポイントスイッチＣＳＷ１，ＣＳＷ３〜ＣＳＷｎをオフとする。そして、ジャンパ線Ｊにより、外部センス線ＳＯと、ソース・メジャー部ＳＭ２のフォース線Ｆが電気的につながるＤＵＴ１のピンとを接続する。この結果、ソース・メジャー部ＳＭ２は高精度に電圧測定または電圧出力を行うことができる。
　【００２０】同様に、ソース・メジャー部ＳＭ３〜ＳＭｎを高精度に使用する場合は、スイッチＳＷ１〜ＳＷｎ、クロスポイントスイッチＣＳＷ１〜ＣＳＷｎを切り替える。そして、ジャンパ線Ｊにより、外部センス線ＳＯと、ソース・メジャー部ＳＭ３〜ＳＭｎのフォース線が電気的につながるＤＵＴ１のピンとを接続し、ソース・メジャー部ＳＭ３〜ＳＭｎの高精度の電圧測定または電圧出力を行う。
　【００２１】このように、スイッチＳＷ１〜ＳＷｎ、クロスポイントスイッチＣＳＷ１〜ＣＳＷｎにより、ソース・メジャー部ＳＭ１〜ＳＭｎのセンス線Ｓを、ポゴピンＰ１〜Ｐｎと、ジャンパ線Ｊを用いて、ＤＵＴ１のピンに接続する外部センス線ＳＯとを切り替えて接続する。これにより、ソース・メジャー部ＳＭ１〜ＳＭｎを多く搭載でき、多くの電圧測定、電圧出力ができると共に、必要に応じて、高精度の電圧測定、電圧出力も容易に行うことができる。」
　
（４）刊行物４
ア．第２ページ右下欄第５行から第２０行まで
「第１図は本発明の一実施例を示すブロック図である。この実施例のセンサ回路は磁気を検出するものであり、磁気センサ手段１１と、差動増幅回路１２と、低域通過フィルタ手段１３とで構成されている。磁気センサ手段１１は、ホール効果を応用して磁気を電圧に変換するポール素子１４と、このホール素子１４の出力電圧ｖ１１の極性を切り替えるスイッチ手段１５を含んでいる。スイッチ手段１５は端子１９から与えられるデューティ比５０％の２値信号である切替制御信号に基づいてホール素子１４の出力電圧ＶＨの極性を反転切替する。なお、スイッチ手段１５において、入力と出力の極性が反転しない場合の接続状態（図示の状態）を第１ポジションと呼び、極性が反転する場合の接続状態を第２ポジションと呼ぶことにする。」
　
イ．第１図
　第１図には、２入力２出力型のスイッチであるスイッチ手段１５が示されている。そして、スイッチ手段１５は、第１ポジションでは、第１入力と第１出力と接続し、第２入力と第２出力とを接続する一方、第２ポジションでは、第１ポジションとは反対に、第１入力と第２出力とを接続し、第２入力と第１出力とを接続することが読み取れる。また、スイッチ手段１５は、第１スイッチング素子及び第２スイッチング素子からなり、各スイッチング素子は、コモン接点並びにそのコモン接点と選択的に接続可能な第１接点及び第２接点を有することが読み取れる。
　
５．対比
　本願発明と引用発明とを比較すると、以下のとおりである。
　引用発明の「クロスポイントスイッチ回路」は、本願発明の「スイッチングトポロジ」に相当する。
　引用発明の「第１入力端子Ａ、第２入力端子Ｂ、第１出力端子Ｃ及び第２出力端子Ｄ」及び「基本スイッチセル１」は、それぞれ、本願発明の「第１ノード〜第４ノード」及び「スイッチング回路」に相当する。
　引用発明の「バー接続」及び「クロス接続」は、それぞれ、本願発明の「スルー接続」及び「クロス接続」に相当する。そして、引用発明の「前記第１入力端子Ａ及び前記第２入力端子Ｂは、バー接続を形成するために、それぞれ、前記第１出力端子Ｃ及び前記第２出力端子Ｄに接続可能である」は、本願発明の「第１ノード及び第２ノードは、スルー接続を形成するために、それぞれ、第３ノード及び第４ノードに接続可能である」に相当し、引用発明の「クロス接続を形成するために、それぞれ、前記第２出力端子Ｄ及び前記第１出力端子Ｃに接続可能であり」は、本願発明の「クロス接続を形成するために、それぞれ、第４ノード及び第３ノードに接続可能であり」に相当する。
　引用発明の「前記複数の基本スイッチセル１の任意の基本スイッチセル１の第１入力端子Ａ及び第２入力端子Ｂは、それぞれ、他の基本スイッチセル１の第１出力端子Ｃ及び第２出力端子Ｄのいずれかと接続されるか、又は入力端子回路５Ｂ、６Ｂ、７Ｂ、８Ｂと接続され、前記任意の基本スイッチセル１の第１出力端子Ｃ及び第２出力端子Ｄは、それぞれ、他の基本スイッチセル１の第１入力端子Ａ及び第２入力端子Ｂのいずれかと接続されるか、又は出力端子回路５Ａ、６Ａ、９Ａ、１０Ａと接続され」は、「基本スイッチセル１」の「第１入力端子Ａ」、「第２入力端子Ｂ」、「第１出力端子Ｃ」及び「第２出力端子Ｄ」のそれぞれが、「他の基本スイッチセル１」の４つの端子のどれか１つと接続されるか、又はどれとも接続されない（代わりに、「入力端子回路５Ｂ、６Ｂ、７Ｂ、８Ｂ」又は「出力端子回路５Ａ、６Ａ、９Ａ、１０Ａ」と接続される）ことを意味している。したがって、本願発明の「前記複数のスイッチング回路の任意のスイッチング回路の前記第１ノード〜第４ノードの各々は、前記複数のスイッチング回路のすべての他のスイッチング回路の前記第１ノード〜第４ノードの多くとも１つのノードに接続され」に相当する。
　引用発明の「前記複数の基本スイッチセル１の各々は、第１入力端子Ａと第１出力端子Ｃ及び第２出力端子Ｄのいずれか一方又は両方とを電気的に接続しうる第１電子スイッチ部として機能する電子スイッチ１５Ａ及び１６Ａと、第２入力端子Ｂと第１出力端子Ｃ及び第２出力端子Ｄのいずれか一方又は両方とを電気的に接続しうる第２電子スイッチ部として機能する電子スイッチ１５Ｂ及び１６Ｂとを備える」と、本願発明の「前記複数のスイッチング回路の各々は、第１スイッチング素子及び第２スイッチング素子を備え、その各々は、コモン接点並びに該コモン接点が選択的に接続可能である第１接点及び第２接点を有する」とは、複数のスイッチング回路の各々が、少なくともスルー接続機能及びクロス接続機能を有する２入力２出力型のスイッチで構成される点で共通する。
　
　そうすると、本願発明と引用発明とは、
　
「スイッチングトポロジであって、
　それぞれが第１ノード〜第４ノードを有する複数のスイッチング回路を備え、第１ノード及び第２ノードは、スルー接続を形成するために、それぞれ、第３ノード及び第４ノードに接続可能であるか、又は、クロス接続を形成するために、それぞれ、第４ノード及び第３ノードに接続可能であり、
　前記複数のスイッチング回路の任意のスイッチング回路の前記第１ノード〜第４ノードの各々は、前記複数のスイッチング回路のすべての他のスイッチング回路の前記第１ノード〜第４ノードの多くとも１つのノードに接続され、
　前記複数のスイッチング回路の各々は、少なくともスルー接続機能及びクロス接続機能を有する２入力２出力型のスイッチで構成される、
スイッチングトポロジ。」
　
である点で一致し、以下の点で相違する。
　
（相違点１）
　本願発明は、「自動試験装置のための」スイッチングトポロジであるのに対し、引用発明は、「光ネットワーク上の伝送装置に必要なチャンネルスイッチ機能部分に用いて好適な」スイッチングトポロジである点。
　
（相違点２）
　少なくともスルー接続機能及びクロス接続機能を有する２入力２出力型のスイッチが、本願発明では、「第１スイッチング素子及び第２スイッチング素子を備え、その各々は、コモン接点並びに該コモン接点が選択的に接続可能である第１接点及び第２接点を有する」ものであるのに対し、引用発明では、「第１入力端子Ａと第１出力端子Ｃ及び第２出力端子Ｄのいずれか一方又は両方とを電気的に接続しうる第１電子スイッチ部として機能する電子スイッチ１５Ａ及び１６Ａと、第２入力端子Ｂと第１出力端子Ｃ及び第２出力端子Ｄのいずれか一方又は両方とを電気的に接続しうる第２電子スイッチ部として機能する電子スイッチ１５Ｂ及び１６Ｂとを備える」ものである点。
　
６．判断
　相違点についての判断は、以下のとおりである。
　
（１）相違点１について
　スイッチングトポロジ（クロスポイントスイッチ回路）を自動試験装置のために用いることは、本願の優先日の前に周知の技術である。例えば、刊行物２には、リニアＬＳＩテストシステム用ヘッドにスイッチングトポロジ（クロスポイントスイッチ３７Ａ、３７Ｂ、３７Ｃ〜３７Ｎ）を用いることが記載されている（上記４．（２）参照）。また、刊行物３には、ＩＣテスタにスイッチングトポロジ（クロスポイントスイッチＣＳＷ１〜ＣＳＷｎ）を用いることが記載されている（上記４．（３）参照）。
　引用発明を自動試験装置のために用いることは、周知技術の単なる適用にすぎない。
　
（２）相違点２について
　引用発明のスイッチング回路（基本スイッチセル１）を構成する２入力２出力型のスイッチは、第１入力端子Ａを第２出力端子Ｄと接続し、かつ第２入力端子Ｂを第１出力端子Ｃと接続する機能（クロス接続機能）と、それとは逆に、第１入力端子Ａを第１出力端子Ｃと接続し、かつ第２入力端子Ｂを第２出力端子Ｄと接続する機能（スルー接続機能）とを有するだけでなく、第１入力端子Ａを第１出力端子Ｃ及び第２出力端子Ｄの両方と接続する機能（Ａ同報接続機能）や、第２入力端子Ｂを第１出力端子Ｃ及び第２出力端子Ｄの両方と接続する機能（Ｂ同報接続機能）も有している（段落００５２及び００５４、上記４．（１）エ．参照）。
　これらの同報接続機能は、刊行物１の「必要な基本機能（クロス接続およびバー接続）を電子回路によって実現することができるとともに、光スイッチでは実現できなかった、同報接続機能さえも実現することができるので、多機能で柔軟性の高いクロスポイントスイッチ回路１−１（１−２，１−３）の実現に大いに寄与する。」という記載（段落０１０１、上記４．（１）カ．参照）から明らかなように、スイッチングトポロジにとって必須の基本機能ではなく、追加機能にすぎない。
　そうすると、引用発明において、スイッチング回路の同報接続機能を省略することとし、クロス接続機能及びスルー接続機能に加えてＡ同報接続機能及びＢ同報接続機能を有する２入力２出力型のスイッチに代えて、クロス接続機能及びスルー接続機能のみを有する２入力２出力型のスイッチでスイッチング回路を構成することは、引用発明に係るスイッチングトポロジが回路に組み込まれたときに求められる具体的な機能に応じて、当業者が容易に思い付くことである。
　そして、クロス接続機能及びスルー接続機能のみを有する２入力２出力型のスイッチ、すなわち、第１入力と第２出力とを接続し、第２入力と第１出力とを接続する状態と、第１入力と第１出力とを接続し、第２入力と第２出力とを接続する状態とを切り替え可能な２入力２出力型のスイッチを実現する具体的な手段は、刊行物４にスイッチ手段１５として記載されているから、これを採用することは、当業者が適宜行い得ることである。
　その結果、引用発明の複数のスイッチング回路の各々が、「第１スイッチング素子及び第２スイッチング素子を備え、その各々は、コモン接点並びに該コモン接点が選択的に接続可能である第１接点及び第２接点を有する」ものになることは、明らかである。
　
７．請求人の主張について
　以下では、請求の理由の「２．引用例の説明及び本願発明との対比」における請求人の主張について検討する。
　
（１）「多くとも１つのノードに接続され」及び発明の効果について
　請求人の主張は、以下のとおりである。なお、「引例Ａ」は、「刊行物１」のことであり、下線は、請求人が付したものである。
　
「引例Ａの図１には、クロスポイントスイッチ回路の構成が示されている。このクロスポイントスイッチ回路１−１は、複数（ここでは、ｍ×ｎ＝４×４＝１６個）の基本スイッチセル１を備えており、これらの各基本スイッチセル１［ＳＷｋｙ］が４行４列の行列（マトリクス）状に配置されている。
　ここで、各基本スイッチセル１は、それぞれ、２つの入力端子Ａ，Ｂ（第１及び第２入力端子）と２つの出力端子Ｃ，Ｄ（第１及び第２出力端子）とを有する２入力２出力型のスイッチで、任意の入力端子Ａ，Ｂと任意の出力端子Ｃ，Ｄとの接続を切り替えることができるようになっている。具体的には、電子回路により構成されて以下の４種類の接続切り替えを行えるようになっている。
（１）クロス接続（Ａ−Ｄ間及びＢ−Ｃ間の接続：図９Ｂ）
（２）バー接続（Ａ−Ｃ間及びＢ−Ｄ間の接続：図９Ｃ）
（３）Ａ同報接続（Ａ−Ｃ間及びＤ間の接続：図９Ｄ）
（４）Ｂ同報接続（Ａ−Ｃ間及びＤ間の接続：図９Ｅ）
　このように、引例Ａの発明の基本スイッチセル１は、
入力端子Ａへの入力信号を出力端子Ｃ及びＤのそれぞれに出力する
入力端子Ｂへの入力信号を出力端子Ｃ及びＤのそれぞれに出力する「Ｂ同報接続」状態にする
　従って、本願発明においては、
スルー接続か又はクロス接続
２つの出力端子が同時に接続
多くとも１つのノードに接続
　
ア．「多くとも１つのノードに接続され」について
　請求人が指摘するとおり、引用発明の基本スイッチセル１の入力端子Ａは、出力端子Ｃ及び出力端子Ｄと同時に接続される場合がある。しかし、このことは、引用発明のスイッチング回路（基本スイッチセル１）の４つのノード（入力端子Ａ、Ｂ、出力端子Ｃ、Ｄ）のそれぞれが、
その
他の
　上記５．で述べたとおり、引用発明の基本スイッチセル１の４つの端子のそれぞれは、他の基本スイッチセル１の４つの端子のどれか１つと接続されるか、どれとも接続されない（代わりに、入力端子回路又は出力端子回路と接続される）かのどちらかである。したがって、引用発明も本願発明も、スイッチング回路の４つのノードのそれぞれは、すべての他のスイッチング回路の４つのノードの多くとも１つのノードに接続されており、この点に違いはない。
　請求人の主張は、当を得ない。
　
イ．発明の効果について
　刊行物１には、スタブの形成の防止に関する直接の記載はない。しかし、図２５に示されるメッシュ構造の電気スイッチ２００（これは、本願の図１及び２に示された従来例に相当する。）について、超高速信号に対する特性安定化を図ることが非常に難しくなるという問題点を指摘し、それを解決することができるという記載がある（段落００１７及び００２０、上記４．（１）ウ．参照）。
　これは、高周波信号の通過時の歪みを低減させるという本願発明の効果と軌を一にするものであるから、引用発明においても、スタブの形成は抑制されていると認められる。
　請求人の主張は、採用することができない。
　
（２）刊行物４に記載されたスイッチ手段１５の採用について
　請求人の主張は、以下のとおりである。なお、「引例Ｄ」は、「刊行物４」のことであり、下線は、請求人が付したものである。
　
「このように、引例Ｄの発明のスイッチ手段１５及び１８は、２つの入力端子間電圧の極性を反転切替して、
センサ手段の出力電圧の極性の切替と同期して差動増幅回路の特性の切替
　これに対し、本願発明は、
自動試験装置内で信号を経路制御するのに使用されるスイッチングトポロジ
　
　請求人の主張は、要するに、２入力２出力型のスイッチが組み込まれている具体的な回路が相違するということにすぎない。
　スイッチは、回路を構成する基本的な素子の一つであるから、具体的な回路が相違しても、回路内で果たすべき機能が同じであれば、同じスイッチを組み込むことが可能である。
　刊行物４に記載されたスイッチ手段１５は、２入力２出力型のスイッチであり、その機能は、上記４．（４）で述べたとおり、第１ポジションでは、第１入力と第１出力と接続し、第２入力と第２出力とを接続する一方、第２ポジションでは、第１ポジションとは反対に、第１入力と第２出力とを接続し、第２入力と第１出力とを接続することである。
　一方、引用発明において、２入力２出力型のスイッチであるスイッチング回路に求められる必須の機能も、上記６．（２）で述べたとおり、第１入力端子Ａと第２出力端子Ｄとを接続し、第２入力端子Ｂと第１出力端子Ｃとを接続する機能（クロス接続機能）と、その反対に、第１入力端子Ａと第１出力端子Ｃとを接続し、第２入力端子Ｂと第２出力端子Ｄとを接続する機能（スルー接続機能）である。
　刊行物４に記載されたスイッチ手段１５は、引用発明のスイッチング回路に求められる必須の機能と同じ機能を果たすことができるから、引用発明のスイッチング回路として採用することに格別の困難は認められない。
　請求人の主張は、採用することができない。
　
８．むすび
　以上のとおりであるから、本願発明は、刊行物１に記載された発明（引用発明）及び刊行物４に記載された発明並びに周知技術に基づき、当業者が容易に発明をすることができたものであり、特許法第２９条第２項の規定により特許を受けることができない。
　したがって、他の請求項に係る発明について審理するまでもなく、本願は拒絶をすべきものである。
　よって、結論のとおり審決する。